(57)【特許請求の範囲】
【請求項１】
コイル及び固定接点部を含む電磁駆動部と、
前記電磁駆動部により前記固定接点部に対し接離自在に駆動される可動接点部と、
前記電磁駆動部及び前記可動接点部を収容するケースと、を備え、
前記コイルで発生した水分が前記固定接点部及び前記可動接点部に向かって移動する流路中に、水分の流れを堰き止めるリブを設けた電磁リレー。
【請求項２】
前記リブは、前記ケースの内壁のうち、前記可動接点部と接続された接極子と対面する位置に該接極子に向かって突出している請求項１に記載の電磁リレー。
【請求項３】
前記ケースが嵌合されるベース部において、前記リブに対応する位置に他のリブを設けた請求項２に記載の電磁リレー。
【請求項４】
前記ケースが嵌合されるベース部において、前記リブに対して水分が移動する流路を迂回させるような位置に他のリブを設けた請求項２に記載の電磁リレー。
【発明の詳細な説明】
【技術分野】
【０００１】
本発明は、電磁石の励磁、非励磁を切り替えることで、接極子を揺動させて接点の開閉動作をさせる構造の電磁リレーに関する。
【背景技術】
【０００２】
従来の電磁リレーは、ベース部に、電磁石部、可動ばね、接極子、可動接点部及び固定接点部を配設し、ケースで覆う構造を採っている（例えば、特許文献１、特許文献２参照）。
【先行技術文献】
【特許文献】
【０００３】
【特許文献１】特開２００７−３２３８８３号公報
【特許文献２】特開２０１０−１０８６５４号公報
【発明の概要】
【発明が解決しようとする課題】
【０００４】
ところで、電磁リレーは、冬季や寒冷地等の周囲環境温度が低い場合、密閉状態のケース内で氷結現象が発生し、接触不良を引き起こす虞があった。氷結現象は、特許文献２に詳しく説明されているが、繰り返し説明する。電磁石部への通電によって電磁石部が発熱を起こし、ケース内の温度が上昇する。このとき、外部温度が非常に低ければ、ケースの内外で温度差が生じ、ケース内で水蒸気を含んだ空気の対流が起こる。そして、ケース内壁部周辺の飽和水蒸気量が低下し、ケース内の空気中に含まれる水蒸気が水滴となってケース内壁部や可動接点、固定接点に結露が発生する。電磁石部が非通電状態となると、ケース内の温度は外部温度によって次第に冷却され、部材表面に付着していた水滴が凍る。このような氷結現象は、特に樹脂温度と比べて熱伝導率が高い金属材によって形成される可動接点や固定接点の表面で頻繁に発生する。
【０００５】
接点の結露・氷結の対策として、特許文献１では、ベース部上に接点部近傍の空気の流れを遮蔽する遮蔽壁を設けており、特許文献２では、固定接点用端子に結露を捕集する捕集部を設けている。
【０００６】
本発明は、係る事情に鑑みてなされたものであり、固定接点部及び可動接点部における結露・氷結を抑制することができる電磁リレーを提供することを目的とする。
【課題を解決するための手段】
【０００７】
本発明の電磁リレーは、コイル及び固定接点部を含む電磁駆動部と、前記電磁駆動部により前記固定接点部に対し接離自在に駆動される可動接点部と、前記電磁駆動部及び前記可動接点部を収容するケースと、を備え、前記コイルで発生した水分が前記固定接点部及び前記可動接点部に向かって移動する流路中に、水分の流れを堰き止めるリブを設けた。
【０００８】
また、上記電磁リレーにおいて、前記リブは、前記ケースの内壁のうち、前記可動接点部と接続された接極子と対面する位置に該接極子に向かって突出している。
【０００９】
また、上記電磁リレーにおいて、前記ケースが嵌合されるベース部において、前記リブに対応する位置に他のリブを設けた。
【００１０】
また、上記電磁リレーにおいて、前記ケースが嵌合されるベース部において、前記リブに対して水分が移動する流路を迂回させるような位置に他のリブを設けた。
【発明の効果】
【００１１】
本発明は、コイルで発生した水分が固定接点部及び可動接点部に向かって移動する流路中に、該水分の流れを堰き止めるリブを設けたので、固定接点部及び可動接点部の結露・氷結を抑制することができ、接触不良を引き起こす虞を低減できる。
【図面の簡単な説明】
【００１２】
【図１】本発明の一実施の形態に係る電磁リレーの内部構造を示す斜視図
【図２】図１の電磁リレーのケースの外壁側を示す斜視図
【図３】図１の電磁リレーのケースの内壁側を示す斜視図
【図４】図１の電磁リレーの応用例（１）の電磁リレーの内部構造を示す斜視図
【図５】図１の電磁リレーの応用例（２）の電磁リレーの外観を示す斜視図
【発明を実施するための形態】
【００１３】
以下、本発明を実施するための好適な実施の形態について、図面を参照して詳細に説明する。
【００１４】
図１は、本発明の一実施の形態に係る電磁リレーの内部構造を示す斜視図であり、ケースとコイルボビンを外した状態である。図２は本実施の形態の電磁リレーのケースの外壁側を示す斜視図、図３は図２のケースの内壁側を示す斜視図である。
【００１５】
図１〜図３において、本実施の形態の電磁リレー１は、ベース部１０、電磁石部１１、可動ばね１２、接極子１３、可動接点部１４及び固定接点部１５を備えるとともに、ベース部１０に嵌合し、前記各部材１１〜１５を収容するケース２０を備えている。なお、電磁石部１１と固定接点部１５は電磁駆動部５０を構成する。
【００１６】
ベース部１０は、ベースシール１０１とベース１０２とを備え、ベースシール１０１は方形板状に形成され、電磁石部１１、可動ばね１２、接極子１３、可動接点部１４及び固定接点部１５のそれぞれを支持する。ベース１０２は、樹脂等の絶縁性部材にて方形状の枠体として形成されており、ベースシール１０１上に配設される。電磁石部１１は、コイル１１１と継鉄１１２の他に、図示せぬ鉄心及び上述したコイルボビンを備える。可動ばね１２は、弾性を有する金属材で略Ｌ字状に形成されており、その先端部分には可動接点部１４が設けられている。接極子１３は、可動ばね１２に固定され、電磁石部１１により駆動されることで、可動接点部１４を固定接点部１５に対して接離させる。
【００１７】
ケース２０は、図２に示すように樹脂等の絶縁性部材にて方形状に形成されている。ケース２０の長手方向側面２０１の下端の両側それぞれにベース部１０と係合する２つの爪部２０２が形成されている。また、これらの爪部２０２と同様の爪部が長手方向側面２０１と対向する側面にも形成されている（図示略）。また、図３に示すように、ケース２０の内壁には、電磁石部１１のコイル１１１で発生した水分が固定接点部１５及び可動接点部１４に向かって移動する流路中において、該水分の流れを堰き止めるリブ２０４が形成されている。このリブ２０４は、可動接点部１４と接続された接極子１３と対面する位置に該接極子１３に向かって突出するように形成されたものである。但し、このリブ２０４は、可動ばね１２に接触しないように所定の間隔をもって設けられている。このリブ２０４によって、固定接点部１５及び可動接点部１４に向かって移動する水分の流れを堰き止めることができる。したがって、固定接点部１５及び可動接点部１４の結露・氷結を抑制でき、接触不良を引き起こす虞を低減できる。
【００１８】
次に、本実施の形態の電磁リレー１の動作を説明する。
電磁石部１１に電圧を印加すると、電磁石部１１が励磁状態となり、接極子１３が吸引される。このときの吸引力が可動ばね１２の弾性力を超えることから、接極子１３が電磁石部１１に吸着されて可動ばね１２の先端部分に設けられた可動接点部１４が固定接点部１５に接触する。
【００１９】
次いで、電磁石部１１への電圧の印加を停止すると、電磁石部１１が非励磁状態となり、接極子１３が可動ばね１２の弾性力によって電磁石部１１から離反し、この離反に従って可動ばね１２の可動接点部１４が固定接点部１５から離反する。なお、このとき、可動ばね１２はリブ２０４に接近するが、接触することはない。このように、電磁石部１１の励磁、非励磁に基づき、可動接点部１４が固定接点部１５に対し接離自在に駆動される。
【００２０】
このように、本実施の形態の電磁リレー１によれば、ベース部１０に係合し、電磁石部１１、可動ばね１２、接極子１３、可動接点部１４及び固定接点部１５を収容するケース２０の内壁のうち、可動接点部１４と接続された接極子１３と対面する位置に該接極子１３に向かって突出するリブ２０４を形成し、コイル１１１で発生した水分が固定接点部１５及び可動接点部１４に向かって移動する流路中における水分の流れを堰き止めるようにしたので、固定接点部１５及び可動接点部１４の結露・氷結を抑制することができ、接触不良を引き起こす虞を低減できる。
【００２１】
なお、上記実施の形態では、ケース２０にリブ２０４を設けたが、ベース部１０にもリブを設けるようにしてもよい。図４は、その応用例（１）の電磁リレー２の内部構造を示す斜視図である。同図に示す電磁リレー２は、ケース２０が嵌合されるベース部１０において、ケース２０側のリブ２０４に対応する位置に他のリブ１０３を有している。ベース部１０側にもリブ１０３を設けることで、コイル１１１で発生した水分が固定接点部１５及び可動接点部１４に向かって移動する流路中における水分の流れを効率良く堰き止めることができる。
【００２２】
また、ベース部１０において、ケース２０側のリブ２０４に対して水分が移動する流路を迂回させるような位置に他のリブを設けるようにしてもよい。図５は、その応用例（２）の電磁リレー３の外観を示す斜視図である。同図に示す電磁リレー３は、ケース２０に２つのリブ２０４を有し、ベース部１０に２つのリブ１０３を有している。特に、電磁リレー３では、２つのリブ２０４と２つのリブ１０３を交互に配置している。すなわち、２つのリブ２０４と２つのリブ１０３を、水分が移動する流路に沿って、かつ水分の流れを堰き止めるといった効果を損ねない程度の所定の間隔をもって交互に配置している。２つのリブ２０４と２つのリブ１０３を交互に配置することで、コイル１１１で発生した水分が固定接点部１５及び可動接点部１４に向かって移動する流路の長さ（経路）を更に長くすることができる。なお、ケース２０に設けるリブの数について、またベース部１０に設けるリブの数について、２つの限定されないことは勿論である。
【符号の説明】
【００２３】
１、２、３  電磁リレー
１０  ベース部
１１  電磁石部
１２  可動ばね
１３  接極子
１４  可動接点部
１５  固定接点部
２０  ケース
５０  電磁駆動部
１０１  ベースシール
１０２  ベース
１０３、２０４  リブ
１１１  コイル
１１２  継鉄
【図１】
0005535040.tif 000002
【図２】
0005535040.tif 000003
【図３】
0005535040.tif 000004
【図４】
0005535040.tif 000005
【図５】
0005535040.tif 000006